(57)【要約】【課題】蓄えているシートの吸湿を防止するためにヒータで保温する画像形成装置における、ヒータによる無駄な電力消費をなくす。【解決手段】デジタル複写機（１）に、カセット（２１）のシートの有無を検出するセンサ（２３）を備え、シートが有るときに限ってヒータ（２２）に電力を供給する。ヒータ（２２）への電力供給は、指示を与えられるまで既に設定されている開閉状態を維持するリレー回路（７０）を介して行い、リレー回路（７０）の開閉状態をシートの有無に応じて切り替える。【選択図】　　　図１
2004093724.tif 000002
【特許請求の範囲】
【請求項１】
シートに画像を形成する形成部と、シートを蓄えて形成部にシートを供給する供給部と、供給部のシートを保温するためのヒータを備える画像形成装置において、
供給部のシートの有無を検出するセンサを備え、
供給部にシートが有ることをセンサが検出しているときのみにヒータに電力を供給することを特徴とする画像形成装置。
【請求項２】
ヒータに供給する電力を提供する電源部と、
電源部とヒータとを接続する閉じた状態と、電源部とヒータとを接続しない開いた状態をとり、指示があるまで設定されている開閉状態を維持するラッチ型のリレー回路を備えることを特徴とする請求項１に記載の画像形成装置。
【請求項３】
形成部および供給部への電力の供給を行わない給電停止モードを有するとともに、ファクシミリ通信を行う通信部を備えて、
給電停止モードにおいて通信部に電力を供給し、
給電停止モードにおいて受信したときに、給電停止モードを終了して形成部および供給部に電力を供給し、受信したデータを画像としてシートに形成することを特徴とする請求項１または請求項２に記載の画像形成装置。
【発明の詳細な説明】
【０００１】
【発明の属する技術分野】
本発明はシートに画像を形成する画像形成装置に関し、特に、蓄えているシートを保温するためのヒータを備える画像形成装置に関する。
【０００２】
【従来の技術】
複写機、ファクシミリ装置、プリンタ等のシートに画像を形成する画像形成装置は、従来より、メインスイッチ（電源スイッチ）がオンに設定されている間、画像の形成に関与する全ての部位に電力を供給して、指示に応じて直ちに画像を形成することが可能な状態の待機モードに保たれていた。しかし、これは、電力消費低減の観点からは好ましい制御方法ではない。そこで、画像の形成に関与する部位を含む電力消費の多い部位への電力供給を停止して電力消費を少なくする省電力モードを設け、画像を形成しない状態が所定時間継続したときに、待機モードから省電力モードに自動的に切り替えることが行われるようになっている。
【０００３】
また、画像形成装置の多くは、いつでも画像の形成ができるように、シートを装置内に蓄えておくようにしている。このような画像形成装置では、蓄えているシートが吸湿して、シートへの画像の転写不良、シート詰まり、シートの皺、反り等の不都合が生じることがある。そこで、シートを蓄える部位にヒータを備えて、シートを所定温度に保つことにより、吸湿を防止している。画像形成装置は大きさや向きの異なる複数種類のシートを分別して蓄えておくのが一般的であり、保温用のヒータは分別されているシート群ごとに備えられる。画像を形成しない期間の吸湿を防止するために、ヒータには省電力モードにおいても電力が供給される。
【０００４】
【発明が解決しようとする課題】
ところが、従来の画像形成装置は、蓄えているシートの有無にかかわらず、シート保温用のヒータに電力を供給している。つまり、シートを蓄えていないときでも、あるいは、画像形成によりシートを消費してシートが無くなった後でも、ヒータに電力を供給する。このため、存在しないシートを保温するために電力を消費するという事態が生じており、電力消費を十分に低減することができていない。特に、複数種類のシートを蓄えておく画像形成装置では、いずれかの種類のシートが無くなっていることに使用者が気づき難く、ヒータが電力を無駄に消費することが多い。
【０００５】
本発明は、このような問題点に鑑みてなされたもので、ヒータを備えて蓄えているシートの吸湿を防止することが可能でありながら、ヒータによる無駄な電力消費を防止した画像形成装置を提供することを目的とする。
【０００６】
【課題を解決するための手段】
上記目的を達成するために、本発明では、シートに画像を形成する形成部と、シートを蓄えて形成部にシートを供給する供給部と、供給部のシートを保温するためのヒータを備える画像形成装置は、供給部のシートの有無を検出するセンサを備え、供給部にシートが有ることをセンサが検出しているときのみにヒータに電力を供給するものとする。センサを動作させている限り供給部のシートの有無の検出が可能であり、供給部にシートが無いときにはヒータに電力を供給しないことで、存在しないシートの保温のために電力を消費するという無駄を避けることができる。
【０００７】
この画像形成装置は、例えば、ヒータに供給する電力を提供する電源部と、電源部とヒータとを接続する閉じた状態と、電源部とヒータとを接続しない開いた状態をとり、指示があるまで設定されている開閉状態を維持するラッチ型のリレー回路を備えることで実現される。
【０００８】
この構成では、画像形成により蓄えているシートが無くなったことが検出されたときには、リレー回路を開いた状態にして、それ以後のヒータの電力消費をなくすことができる。また、シートが補給されたことが検出されたときには、リレーを閉じた状態にして、補給されたシートをヒータによって保温することができる。さらに、このリレー回路は、指示があるまで設定されている開閉状態を保つから、リレー回路自体、あるいはこれに指示を与える部位への電力供給が停止され、その後電力供給が再開されたときでも、開閉状態は変化しない。例えば、画像形成によってシートが無くなった状態で電力供給が停止されて、その後電力供給が再開されたときでも、電源部とヒータとを接続することがない。したがって、存在しないシートの保温のためにヒータが電力を無駄に消費するという事態は生じない。
【０００９】
上記の画像形成装置は、形成部および供給部への電力の供給を行わない給電停止モードを有するとともに、ファクシミリ通信を行う通信部を備えて、給電停止モードにおいて通信部に電力を供給し、給電停止モードにおいて受信したときに、給電停止モードを終了して形成部および供給部に電力を供給し、受信したデータを画像としてシートに形成するものとすることができる。このようにすると、電力消費が少なく、しかも、常時受信が可能で、シートがある限り受信データを画像として形成し得るファクシミリ装置となる。
【００１０】
特に、上記のリレー回路を備える構成では、リレー回路への電力供給を、給電停止モードにおいて停止し、給電停止モード終了時に再開することができる。このようにすると、リレー回路への電力供給と形成部および供給部への電力供給とを全く同様に制御することが可能であり、制御が容易になる上、制御のための構成も簡素になる。しかも、給電停止モードの間に使用者がシートを補給したり取り除いたりした場合でも、その後受信した際に、ヒータへの電力供給の状態を自動的に切り替えることが可能である。
【００１１】
【発明の実施の形態】
以下、本発明の実施形態について図面を参照しながら説明する。第１の実施形態のデジタル複写機１の構成を図１に模式的に示す。デジタル複写機１は、シートに画像を形成する形成部１０、形成部１０にシートを供給する供給部２０、原稿画像を読み取る読取部３０、使用者によって操作されるとともに情報を表示する操作・表示部４０、複写機１の全体の動作を制御する制御部５０、および商用電源からの交流電力を直流電力に変換して制御部５０に供給する電源部６０を備える。
【００１２】
複写機１は、帯電させた感光体ドラムを露光して潜像を形成し、これにトナーを付着させることにより現像し、感光体ドラム上のトナー像をシートに転写する方式を採用している。図示しないが、形成部１０には、感光体ドラム、帯電部、露光部、現像部、転写部、定着部等が含まれている。
【００１３】
供給部２０は複数のカセット２１を有しており、カセット２１ごとに、大きさや向きの異なるシートを蓄えておくことができる。各カセット２１には、蓄えているシートを保温するヒータ２２と、シートの有無を検出するセンサ２３が備えられている。
【００１４】
読取部３０はＣＣＤラインセンサを有しており、原稿画像をＣＣＤラインセンサによって読み取ってデジタル信号として出力する。操作・表示部４０は、使用者の操作を受け付けるいくつかのキーを有しており、また、情報を表示するための液晶表示器を有している。
【００１５】
制御部５０は、電源部６０から供給される直流電力を形成部１０、供給部２０、および読取部３０に供給するとともに、これらの部位の動作を制御する。例えば、読取部３０を制御して原稿画像を読み取らせ、読取部３０が出力するデジタル信号を処理して読み取った画像を表す画像データを生成し、さらに、形成部１０および供給部２０を制御して画像データが表す画像をシートに形成させる。制御部５０は、また、自己から各部への電力供給を制御するとともに、供給部２０のヒータ２２への電力供給も制御する。この制御はセンサ２３の検出結果に基づいて行う。
【００１６】
複写機１のヒータ２２の制御に関する構成を図２に示す。電源部６０から制御部５０への電力供給路は２系統存在し、その一方には、メインスイッチ６１が設けられている。メインスイッチ６１を開くことにより制御部５０への一部の電力の供給は停止される。制御部５０は、メインスイッチ６１を経て供給される電力を形成部１０をはじめとする各部に供給する。スイッチが設けられていない供給路からは常に制御部５０に電力が供給されるが、制御部５０は、この電力を自己の動作のために利用する。メインスイッチ６１は、使用者によって操作されるほか、制御部５０によっても開閉状態を切り替えられる。
【００１７】
供給部２０のヒータ２２へは、商用電源からの交流電力が供給される。ヒータ２２にはリレー回路７０が接続されており、このリレー回路７０を開閉することでヒータ２２への電力供給が制御される。リレー回路７０の構成を図３に示す。
【００１８】
各リレー回路７０は、商用電源に接続された２つの入力端子７１ａ、７１ｂと、ヒータ２２に接続された２つの出力端子７２ａ、７２ｂと、入力端子７１ａと出力端子７２ａ、および入力端子７１ｂと出力端子７２ｂとを閉結し開放する２つのスイッチ７３ａ、７３ｂを有する。リレー回路７０は、また、スイッチ７３ａ、７３ｂを駆動して、これらによる入力端子７１ａ、７１ｂと出力端子７２ａ、７２ｂの開閉の状態を切り替える開放回路７４と閉結回路７５を備える。開放回路７４には、制御部５０から制御信号ＨＯＦＦを与えられる端子７４ａと、制御部５０から一定電圧（２４Ｖ）を与えられる定電圧端子７４ｂが設けられており、閉結回路７５には、制御部５０から制御信号ＨＯＮを与えられる端子７５ａと、制御部５０から一定電圧（２４Ｖ）を与えられる定電圧端子７５ｂが設けられている。
【００１９】
制御信号ＨＯＦＦは入力端子７１ａ、７１ｂと出力端子７２ａ、７２ｂとの開放を指示するものであり、御信号ＨＯＮは入力端子７１ａ、７１ｂと出力端子７２ａ、７２ｂとの閉結を指示するものである。開放回路７４と閉結回路７５はこれらの制御信号ＨＯＦＦ、ＨＯＮを与えられたときに動作し、制御部５０は、制御信号ＨＯＦＦあるいは制御信号ＨＯＮを常時出力するのではなく、入力端子７１ａ、７１ｂと出力端子７２ａ、７２ｂの開閉状態を切り替えるときに、いずれかを出力する。スイッチ７３ａ、７３ｂは、開放回路７４または閉結回路７５によって設定を変えられるまで既に設定されている状態を保ち、リレー回路７０は切り替え指示を与えられるまで開閉状態を維持するラッチ型となっている。つまり、リレー回路７０は電力を供給されないときでも、開閉状態を保つ。
【００２０】
制御部５０は、リレー回路７０の開閉を、センサ２３からの出力信号ＳＰに基づいて、カセット２１ごとに個別に制御する。図２においては、簡略化のために、カセット２１、ヒータ２２、センサ２３およびリレー回路７０をそれぞれ２つのみ示しており、また、各リレー回路７０への制御信号ＨＯＮ、ＨＯＦＦや、各センサ２３の出力信号ＳＰも区別していないが、ヒータ２２、センサ２３およびリレー回路７０はカセット２１の数だけ存在し、制御信号ＨＯＮ、ＨＯＦＦを制御部５０が与える時期およびセンサ２３の出力信号ＳＰの内容はカセット２１によって異なる。
【００２１】
複写機１は、画像の形成に関与する全ての部位に電力を供給して、指示に応じて直ちに画像を形成することが可能な状態の待機モードと、画像の形成に関与する部位を含む電力消費の多い部位への電力供給を停止して電力消費を少なくする省電力モードを有する。画像を形成しない状態が所定時間継続したときに、待機モードから省電力モードに自動的に切り替える機能も有する。これらのモードの切り換えは、制御部５０が、電源部６０に制御信号ＭＯＮ／ＯＦＦを与えてメインスイッチ６１の開閉状態を切り替えることによって行う。
【００２２】
制御部５０は、メインスイッチ６１を経ずに電源部６０から供給される電力を、前述のように自己の制御動作に用いるが、操作・表示部４０のうちの所定のキーにも供給する。したがって、省電力モードにおいても、その所定のキーは操作可能であり、使用者はこのキーを操作することによって待機モードへの切り換えを指示する。
【００２３】
省電力モードにおいては、制御部５０、ヒータ２２、および操作・表示部４０の所定のキー以外には電力は供給されず、リレー回路７０にも供給されない。一方、待機モードにおいては、通常、複写機１の全ての部位に電力が供給される。ただし、センサ２２によってカセット２１にシートが存在しないことが検出されたときは、そのカセット２１のヒータ２２には電力を供給しない。つまり、制御部５０が、そのカセット２１のリレー回路７０を開放状態に設定する。
【００２４】
ヒータ２２への電力供給の制御の流れを図４のフローチャートに示す。まず、電源部６０のメインスイッチ６１の開閉状態、つまり、待機モードにあるか省電力モードにあるかを判定する（ステップ＃１０５）。メインスイッチ６１が閉結しているとき、すなわち待機モードにあるときは、センサ２３の出力信号から各カセット２１のシートの有無を判定する（＃１１０）、シートがあれば、リレー回路７０を閉結状態に保ち、または開放状態から閉結状態に切り替えて、ヒータ２２に電力を供給する（＃１１５）。そして、ステップ＃１０５に戻る。シートがなければ、リレー回路７０を開放状態に保ち、または閉結状態から開放状態に切り替えて、ヒータ２２に電力を供給しない（＃１２０）。そして、ステップ＃１０５に戻る。
【００２５】
ステップ＃１０５の判定で、メインスイッチ６１が開放しているとき、すなわち省電力モードにあるときは、リレー回路７０の開閉状態を切り替えることなくステップ＃１０５に戻り、ヒータ２２に電力を供給している状態、または電力供給を停止している状態を保つ。
【００２６】
上記の制御では、画像形成によりカセット２１に蓄えていたシートを全て消費したときには、ステップ＃１２０において、ヒータ２２への電力供給が停止される。また、待機モードにあるときに、シートの無くなっているカセット２１にシートが補給されたときには、ステップ＃１１５において、ヒータ２２への電力供給が開始される。さらに、カセット２１にシートが無くなった状態で省電力モードに移行し、待機モードに戻ったときは、ヒータ２２への電力供給は停止されたままとなる。
【００２７】
なお、省電力モードにおいて、使用者がカセット２１にシートを補給することもある。この場合、使用者は、シート補給後に、操作・表示部４０の所定のキーを操作して待機モードに切り替えればよい。ステップ＃１１５でヒータ２２への電力供給が開始されて、補給されたシートが保温される状態となり、所定時間経過後に省電力モードに戻る。
【００２８】
このような制御を行う複写機１では、画像を形成しないときの電力消費を低減することができる上、存在しないシートの保温のための無駄な電力消費を皆無にすることができる。しかも、シートが存在するときには、確実にシートを保温して、吸湿を防止することが可能である。
【００２９】
第２の実施形態のファクシミリ装置２の構成を図５に模式的に示す。ファクシミリ装置２は、第１の実施形態のデジタル複写機１に、ファクシミリ通信を行う通信部８０と、サブ電源部９０を追加したものである。シートを蓄える供給部２０のカセット２１は１つのみとしている。ファクシミリ装置２では、読取部３０で読み取った画像を、形成部１０によりシートに形成することもできるし、通信部８０を介して他のファクシミリ装置に送信することもできる。また、他のファクシミリ装置から受信したデータを、形成部１０により画像としてシートに形成することも可能である。
【００３０】
制御部５０、電源部６０、通信部８０およびサブ電源部９０の構成を図６に示す。通信部８０は電話回線Ｌに接続されており、また、制御部５０にも接続されている。制御部５０と通信部８０は制御に関する情報や、送受信データを授受する。ファクシミリ装置２においては、メインスイッチ９１がサブ電源部９０に設けられており、このメインスイッチ９１に連動するリレー回路９２によって制御部５０への一部の電力の供給を制御する。なお、通信部８０にはサブ電源部９０から電力が供給される。
【００３１】
ファクシミリ装置２も、デジタル複写機１と同様に、待機モードと省電力モードとを有し、画像を形成しない状態が所定時間継続したときに待機モードから省電力モードに切り替える。省電力モードにおいても通信部８０には電力が供給され、待機モードと省電力モードの切り替えは、通信部８０が制御信号ＭＯＮ／ＯＦＦによってメインスイッチ９１の開閉状態を切り替えることによって行う。
【００３２】
省電力モードにおいても通信部８０に電力が供給されるファクシミリ装置２では、ファクシミリ受信を常時行うことが可能である。しかし、省電力モードにおいては、形成部１０や供給部２０には電力が供給されないため、画像を形成することはできない。そこで、省電力モードにおいてファクシミリ受信したときには、待機モードに切り替えて、受信したデータを画像としてシートに形成する。ただし、省電力モードにおいて受信したときでも、カセット２１にシートが無ければ、受信したデータを記憶しておく。
【００３３】
シート保温用のヒータ２２への電力供給は、デジタル複写機１と同様に、リレー回路７０を介して行う。また、その制御は、複写機１とほとんど同様であり、制御部５０がシートの有無に基づいて行う。複写機１の制御との相違点は、省電力モードにおいてファクシミリ受信したときに待機モードに切り替える点のみである。
【００３４】
ヒータ２２への電力供給の制御の流れを図７のフローチャートに示す。まず、サブ電源部９０のメインスイッチ９１（およびリレー回路９２）の開閉状態、つまり、待機モードにあるか省電力モードにあるかを判定する（ステップ＃２０５）。メインスイッチ９１が閉結しているとき、すなわち待機モードにあるときは、センサ２３の出力からカセット２１のシートの有無を判定する（＃２１０）、シートがあれば、リレー回路７０を閉結状態に保ち、または開放状態から閉結状態に切り替えて、ヒータ２２に電力を供給する（＃２１５）。シートがなければ、リレー回路７０を開放状態に保ち、または閉結状態から開放状態に切り替えて、ヒータ２２に電力を供給しない（＃２２０）。
【００３５】
ステップ＃２０５の判定で、メインスイッチ９１が開放しているとき、すなわち省電力モードにあるときは、ファクシミリ受信をしたか否かを判定し（＃２２５）、ファクシミリ受信をしたときには、メインスイッチ９１を閉じて待機モードに切り替えて（＃２３０）、ステップ＃２１０に進む。その後、ステップ＃２１０の判定でシートがあれば、ステップ＃２１５のヒータの制御処理とは別に、受信データを画像としてシートに形成する処理を行う。ステップ＃２２５の判定でファクシミリ受信をしていないときは、ステップ＃２０５に戻り、ヒータ２２に電力を供給している状態、または電力供給を停止している状態を保つ。
【００３６】
このような制御を行うファクシミリ装置２では、画像を形成しないときの電力消費を低減することができる上、存在しないシートの保温のための無駄な電力消費を皆無にすることができる。しかも、シートが存在するときには、確実にシートを保温して、吸湿を防止することが可能である。また、常時ファクシミリ受信をすることが可能であり、シートが存在する限り、受信データを直ちに画像として形成することができる。
【００３７】
第３の実施形態について説明する。本実施形態は、第１の実施形態のデジタル複写機１を修飾して、電源部６０から制御部５０への電力供給路をメインスイッチ６１を経る１系統のみとしたものである。メインスイッチ６１が開いているとき、制御部５０には電力は供給されず、制御部５０による形成部１０、供給部２０等の各部への電力供給、および各部の制御はなされない。
【００３８】
リレー回路７０は、制御部５０から２４Ｖの一定電圧を与えられないときでも、既に設定されている開閉状態を保つから、省電力モードへの移行によってメインスイッチ６１を開いたときや、使用者が操作してメインスイッチ６１を開いたときでも、その直前にヒータ２２に電力が供給されていれば、ヒータ２２への電力供給は継続され、ヒータ２２への電力供給が停止されていれば、ヒータ２２への電力供給は停止されたままとなる。
【００３９】
メインスイッチ６１が開いている間に、使用者がシートが無くなっているカセット２１にシートを補給したり、あるいは、何らかの理由で、カセット２１からシートを取り除いた場合、制御部５０は動作しないから、リレー回路７０の開閉状態を切り替えることはできない。この場合、使用者が、シートの補給または除去を終了した後に、メインスイッチ６１を操作して閉じるようにすればよい。メインスイッチ６１が閉じられることで、制御部５０への電力供給が再開されて待機モードとなり、制御部５０は、センサ２３の出力に応じて、リレー回路７０の開閉状態を切り替えることができる。
【００４０】
本実施形態のように、画像形成に直接関与する部位のみならず、それらの部位を制御する制御部５０への電力供給を停止するモードをオフモードとよぶ。制御部５０には電力を供給する第１、第２の実施形態の省電力モードと、制御部５０への電力供給も行わない本実施形態のオフモードのいずれも、形成部１０および供給部２０に電力を供給しない給電停止モードに含まれる。
【００４１】
第４の実施形態について説明する。本実施形態は、第２の実施形態のファクシミリ装置２を修飾して、電源部６０から制御部５０への電力供給路をリレー回路９２を経る１系統のみとして、メインスイッチが開いているときには制御部５０に電力を供給しない上述のオフモードを設けたものである。
【００４２】
オフモードにおいても、通信部８０にはサブ電源部９０から電力が供給されるから、ファクシミリ通信は可能である。また、オフモードにおいてファクシミリ受信したときは、通信部８０がメインスイッチ９１を閉じることが可能であり、したがって、待機モードに復帰して、受信データを画像としてシートに形成することができる。オフモードの間に使用者がカセット２１にシートを補給したり、カセット２１からシートを取り除いたりした場合でも、その後に受信して待機モードに復帰した時点で、制御部５０がセンサ２３の出力に応じてリレー回路７０の開閉状態を切り替えるから、使用者がメインスイッチ９１を閉じる操作を行う必要はない。
【００４３】
第５の実施形態について説明する。本実施形態は、省電力モードにおいて制御部５０に電力を供給する第１、第２の実施形態を修飾して、カセット２１のシートの有無を検出するセンサ２３への制御部５０からの電力供給を省電力モードにおいても行うようにし、センサ２３による検出結果が変化したときに、リレー回路７０の開閉状態を切り替えるようにしたものである。このようにすると、使用者が、省電力モードの間にカセット２１にシートを補給したり、カセット２１からシートを取り除いたりした後、待機モードへの復帰を指示する操作・表示部４０のキーを操作しなかった場合でも、ヒータ２２への電力供給を、シートの有無に応じて確実に切り替えることができる。
【００４４】
センサ２３も電力を消費するが、センサ２３の電力消費はヒータ２２の電力消費に比べてはるかに少ないから、省電力モードにおいてセンサ２３に電力を供給しても、電力消費はごく僅か増大するにすぎない。また、省電力モードにおけるセンサ２３への電力供給を、継続的には行わず、所定の時間間隔で（例えば５分ごとに）数秒間、行うようにようにしてもよい。
【００４５】
なお、ここでは、デジタル複写機およびファクシミリ装置の例を掲げたが、本発明はプリンタにも適用することが可能であり、また、これら全ての機能を併せ持つ複合型画像形成装置にも適用することができる。
【００４６】
【発明の効果】
シートに画像を形成する形成部と、シートを蓄えて形成部にシートを供給する供給部と、供給部のシートを保温するためのヒータを備える画像形成装置において、本発明のように、供給部のシートの有無を検出するセンサを備え、供給部にシートが有ることをセンサが検出しているときのみにヒータに電力を供給するようにすると、存在しないシートの保温のために電力を消費するという無駄を避けることが可能になる。
【００４７】
ヒータに供給する電力を提供する電源部と、電源部とヒータとを接続する閉じた状態と、電源部とヒータとを接続しない開いた状態をとり、指示があるまで設定されている開閉状態を維持するラッチ型のリレー回路を備えるようにすると、上記効果を有する画像形成装置を簡素な構成で実現することができ、制御もきわめて容易になる。
【００４８】
形成部および供給部への電力の供給を行わない給電停止モードを有するとともに、ファクシミリ通信を行う通信部を備えて、給電停止モードにおいて通信部に電力を供給し、給電停止モードにおいて受信したときに、給電停止モードを終了して形成部および供給部に電力を供給し、受信したデータを画像としてシートに形成するようにすると、電力消費が少なく、しかも、常時受信が可能で、シートがある限り受信データを画像として形成し得るファクシミリ装置となる。特に、ラッチ型のリレー回路を備える構成では、リレー回路への電力供給を、給電停止モードにおいて停止し、給電停止モード終了時に再開するようにすることが可能であり、これにより、制御が容易になって制御のための構成も簡素になる上、給電停止モードの間に使用者がシートを補給したり取り除いたりした場合でも、その後受信した際に、ヒータへの電力供給の状態を自動的に切り替えることが可能である。
【図面の簡単な説明】
【図１】第１の実施形態のデジタル複写機の構成を模式的に示す図。
【図２】上記デジタル複写機のシート保温用ヒータの制御に関する構成を示す図。
【図３】上記デジタル複写機のシート保温用ヒータに接続されたリレー回路の構成を示す図。
【図４】上記デジタル複写機におけるシート保温用ヒータへの電力供給の制御の流れを示すフローチャート。
【図５】第２の実施形態のファクシミリ装置の構成を模式的に示す図。
【図６】上記ファクシミリ装置の制御部、電源部、通信部およびサブ電源部の構成を示す図。
【図７】上記ファクシミリ装置におけるシート保温用ヒータへの電力供給の制御の流れを示すフローチャート。
【符号の説明】
１　　デジタル複写機
２　　ファクシミリ装置
１０　　形成部
２０　　供給部
２１　　カセット
２２　　ヒータ
２３　　センサ
３０　　読取部
４０　　操作・表示部
５０　　制御部
６０　　電源部
６１　　メインスイッチ
７０　　リレー回路
７１ａ、７１ｂ　入力端子
７２ａ、７２ｂ　出力端子
７３ａ、７３ｂ　スイッチ
７４　　開放回路
７４ａ　制御端子
７４ｂ　定電圧端子
７５　　閉結回路
７５ａ　制御端子
７５ｂ　定電圧端子
８０　　通信部
９０　　サブ電源部
９１　　メインスイッチ
９２　　リレー回路
ＨＯＮ、ＨＯＦＦ　　リレー回路制御信号
ＭＯＮ／ＯＦＦ　メインスイッチ制御信号
ＳＰ　　　　センサ出力信号
【図１】
2004093724.tif 000003
【図２】
2004093724.tif 000004
【図３】
2004093724.tif 000005
【図４】
2004093724.tif 000006
【図５】
2004093724.tif 000007
【図６】
2004093724.tif 000008
【図７】
2004093724.tif 000009